(57)【要約】【課題】外周部に雄ネジ部が形成され樹脂材料で成型されたレンズ鏡筒に、組立が簡単で低コストな方法で遮光用マスクを取り付ける。【解決手段】外周部に雄ネジ部が形成され、樹脂材料で成型されたレンズ鏡筒と、 レンズに入射する光束を通過させる開口を有する遮光用マスクはバヨネット結合により、前記レンズ鏡筒に固定される。前記雄ネジ部は、ネジの軸方向と垂直方向のスライドを有する金型により形成され、前記レンズ鏡筒のバヨネット爪は、前記雄ネジ部を形成為のスライドで形成される。【選択図】図５
2016009140.tif 000002
【特許請求の範囲】
【請求項１】
レンズと 、
前記レンズを保持し外周部に雄ネジ部が形成され、樹脂材料で成型されたレンズ鏡筒と、 
前記レンズ鏡筒の雄ネジ部と螺合する雌ネジ部を有し前記レンズ鏡筒を保持する保持筒と、
前記レンズ鏡筒に固定される固定部品を有し、
前記固定部品はバヨネット結合により、前記レンズ鏡筒に固定され、
前記雄ネジ部は、ネジの軸方向と垂直方向のスライドを有する金型により形成され、
前記レンズ鏡筒のバヨネット爪は、前記雄ネジ部を形成する為のスライドで形成されたことを特徴とするレンズ鏡筒およびそれを用いた光学機器。
【請求項２】
前記固定部品は、円周方向に伸びた爪部を有しパッチン止めにより、レンズ鏡筒の係合部に係合することで、回転方向の戻りを防止し、回転方向にガタなく保持される請求項１に記載のレンズ鏡筒およびそれを用いた光学機器。
【請求項３】
前記固定部材は、前記レンズに入射する光束を通過させる開口を有する遮光用マスクであることを特徴とする請求項１又は請求項２のレンズ鏡筒およびそれを用いた光学機器。
【発明の詳細な説明】
【技術分野】
【０００１】
本発明は、レンズ鏡筒およびそれを用いた光学機器に関する。
【背景技術】
【０００２】
特許文献１では、レンズ枠の熱カシメされる端部側に、精度よく遮光用マスクを取り付けることができ、良好にフレアやゴースト等の発生を防止することができるレンズ装置が提案されている。
【０００３】
上記遮光用マスクは、レンズ枠の熱カシメが行われた端部側の外周面（熱カシメによる熱変形を受けていない外周面）に、その筒体部が被さるようにして装着され、筒体部の一端から内径側に延びる所定の開口を有する遮光部により不要光を遮るように構成されている。また、遮光用マスクは、前記筒体部の端面に接着剤を溜めておくための複数の接着用切欠きが形成され、前記接着用切欠きに接着剤が注入されて前記レンズ枠に固定される。
【先行技術文献】
【特許文献】
【０００４】
【特許文献１】特開２０１１−３３９８９号公報
【発明の概要】
【発明が解決しようとする課題】
【０００５】
しかしながら、特許文献１のように遮光用マスクを接着剤で固定すると組立が煩雑になってしまう。接着溝は４箇所設けてあり、ＵＶ接着剤を用いて固定しているが、この構成だと１度に複数の箇所を接着するのは困難な為、１ヶ所ずつＵＶ接着剤塗布とＵＶ照射を行うと組立時間が増え、コストのアップになってしまう。
【課題を解決するための手段】
【０００６】
本発明の構成は、
レンズと 、
前記レンズを保持し外周部に雄ネジ部が形成され、樹脂材料で成型されたレンズ鏡筒と、 
前記レンズ鏡筒の雄ネジ部と螺合する雌ネジ部を有し前記レンズ鏡筒を保持する保持筒と、
前記レンズ鏡筒に固定される固定部品を有し、
前記固定部品はバヨネット結合により、前記レンズ鏡筒に固定され、
前記雄ネジ部は、ネジの軸方向と垂直方向のスライドを有する金型により形成され、
前記レンズ鏡筒のバヨネット爪は、前記雄ネジ部を形成する為のスライドで形成されたことを特徴とする。
【発明の効果】
【０００７】
本発明によれば、組立が簡単で低コストなレンズ鏡筒を提供することができる。
【図面の簡単な説明】
【０００８】
【図１】本実施形態の撮像システムの断面図である。
【図２】図１に示す撮像システムのシステムブロック図である。
【図３】１群ユニットをセンサー側から見た図である。
【図４】１群ユニットを図3の矢印C側から見た図である。
【図５】図3のB-B断面図。
【発明を実施するための形態】
【０００９】
［実施例１］
【００１０】
図１は、交換レンズ２００とカメラ本体５００から構成される撮像システム（光学機器）の断面図である。交換レンズ（レンズユニット）２００はカメラ本体５００に着脱可能に構成される光学機器である。カメラ本体５００は、本実施形態では一眼レフカメラ（光学機器）として構成されているが、ミラーレスカメラとして構成されてもよい。また、本発明は、デジタルスチルカメラだけでなくデジタルビデオカメラ、レンズ一体型のカメラにも適用可能である。
【００１１】
交換レンズ２００は、被写体の光学像を形成する撮影光学系を有する。本実施形態の撮影光学系は、１群レンズ１、２群レンズ３、３群レンズ５、防振レンズ７、フォーカスレンズ９、５群レンズ１２、絞りユニット３４を有する。
【００１２】
２は１群レンズ１を保持する１群鏡筒、１７は１群鏡筒を固定する１群筒、４は２群レンズ３を保持する２群鏡筒、６は３群レンズ５を保持する３群鏡筒（保持部材）である。防振レンズ７は光軸に垂直な方向に移動することで像ブレを補正し、防振装置８に保持されている。防振装置８は３群鏡筒６に固定されている。
【００１３】
１０はフォーカスレンズ９を保持するフォーカス鏡筒であり、４群鏡筒１１に設けられた案内機構、駆動機構によって光軸方向へ移動し、焦点調節を行う。１３は５群レンズ１２を保持する５群鏡筒を示す。絞りユニット３４は光量調節を行い、３群鏡筒６に固定される。
【００１４】
１４は案内筒（案内部材）であり、複数の（本実施形態では周方向に３箇所の光軸に平行な）案内溝が設けられている。３群鏡筒６は、カム環１６が回転すると、案内溝に沿ってコロが摺動し光軸方向に移動する。案内筒１４は固定されているものとする。また、案内筒１４は、その外周においてカム環１６と嵌合し、カム環１６に対して摺動する。
【００１５】
１６は案内筒１４の外周に回転可能に嵌合したカム環（カム部材）である。カム環１６の周方向には複数の（本実施形態では各レンズに対して周方向に３つの計１２カ所の）カム溝１が設けられている。
【００１６】
２３は固定鏡筒を示し、案内筒１４を固定する。３１はレンズの駆動用ＩＣ、マイコン等が配置されたプリント基板を示し、固定鏡筒２３に固定されている。
【００１７】
２７は外観リングであり、３２はマウントである。マウント３２は固定鏡筒２３にビス固定される。外観リング２７は固定鏡筒２３とマウント３２に挟まれ固定される。１９はマニュアルフォーカスリング（ＭＦ）ユニットであり、固定鏡筒２３を軸として回転可動に支持されている。ＭＦユニット１９を回転させると、その回転を不図示のセンサが検出し、回転量に応じて手動の焦点調節を行う。
【００１８】
３３は接点ブロックであり、プリント基板３１と不図示の配線（ＦＰＣなど）によって接続されて、マウント３２にビス固定される。交換レンズ２００はカメラ本体５００にマウント３２でバヨネット固定される。カメラ本体５００に交換レンズ２００がマウント３２で固定されると、各レンズの動作を制御するプリント基板３１は接点ブロック３３を通してカメラ本体５００と通信可能となる。
【００１９】
６００はカメラ本体５００に搭載された撮像素子であり、撮影光学系が形成した光学像を光電変換するＣＭＯＳやＣＣＤ等の光電変換素子である。
【００２０】
図２は、撮像システムの電気的構成を示すブロック図である。
【００２１】
５０１はマイクロコンピュータにより構成されるカメラＣＰＵ（カメラ制御手段）であり、カメラ本体５００内の各部の動作を制御する。カメラＣＰＵ５０１は、交換レンズ２００の装着時に電気接点５０２，２０２を介して、交換レンズ２００のレンズＣＰＵ２０１（レンズ制御手段）と通信を行う。
【００２２】
カメラＣＰＵ５０１がレンズＣＰＵ２０１に送信する情報（信号）には、フォーカスレンズ９の駆動量情報、平行振れ情報およびピントずれ情報が含まれる。レンズＣＰＵ２０１からカメラＣＰＵ５０１に送信する情報（信号）には、撮像倍率情報が含まれる。電気接点５０２，２０２には、カメラ本体５００から交換レンズ２００に電源を供給するための接点が含まれている。
【００２３】
５０３は撮影者により操作可能な電源スイッチであり、カメラＣＰＵ５０１を起動したりカメラシステム内の各アクチュエータやセンサ等への電源供給を開始したりするためのスイッチである。
【００２４】
５０４は撮影者により操作可能なレリーズスイッチであり、第１ストロークスイッチＳＷ１と第２ストロークスイッチＳＷ２とを有する。レリーズスイッチ５０４からの信号は、カメラＣＰＵ５０１に入力される。カメラＣＰＵ５０１は、第１ストロークスイッチＳＷ１からのＯＮ信号の入力に応じて、撮影準備状態に入る。撮影準備状態では、測光部５０５による被写体輝度の測定と、焦点検出部５０６による焦点検出が行われる。カメラＣＰＵ５０１は、測光結果に基づいて絞りユニット３４の絞り値や撮像素子６００の露光量（シャッタ秒時）等を演算する。
【００２５】
カメラＣＰＵ５０１は、焦点検出部５０６による焦点検出結果（デフォーカス量およびデフォーカス方向）に基づいて、被写体に対する合焦状態を得るためのフォーカスレンズ９およびフォーカス鏡筒１０の駆動量（駆動方向を含む）を決定する。駆動量の情報（フォーカスレンズ駆動量情報）は、レンズＣＰＵ２０１に送信される。レンズＣＰＵ２０１は、交換レンズ２００の各構成部の動作を制御する。
【００２６】
カメラＣＰＵ５０１は、防振装置８による防振を制御する。また、第２ストロークスイッチＳＷ２からのＯＮ信号が入力されると、カメラＣＰＵ５０１は、レンズＣＰＵ２０１に絞り駆動命令を送信し、絞りユニット３４を介して絞り値を設定させる。更に、カメラＣＰＵ５０１は、露光部５０７に露光開始命令を送信し、不図示のミラーの退避動作や不図示のシャッタの開放を行わせ、撮像素子６００を含む撮像部５０８の露光を行わせる。
【００２７】
撮像部５０８（撮像素子６００）からの撮像信号は、カメラＣＰＵ５０１内の信号処理部にてデジタル変換され、各種補正処理が施されて画像信号として出力される。画像信号（データ）は、画像記録部５０９において、フラッシュメモリ等の半導体メモリ、磁気ディスク、光ディスク等の記録媒体に記録保存される。
【００２８】
２０４はＭＦリング回転検出部であり、ＭＦユニット１９とその回転検出部とを含む。２０５はＺＯＯＭリング回転検出部であり、マニュアルズームリング３５とその回転検出を行う不図示のセンサとを含む。マニュアルズームリング３５の内側にはインナーズームリング７１が接着剤により固着され一体化されている。２０６は防振装置駆動部であり、防振動作を行う防振装置８の駆動アクチュエータとその駆動回路とを含む。
【００２９】
２０９はＡＦ駆動部であり、カメラＣＰＵ５０１から送信されたフォーカスレンズ駆動量情報に応じてＡＦモータを通じてフォーカス鏡筒１０のＡＦ駆動を行う。２０８は電磁絞り駆動部であり、カメラＣＰＵ５０１からの絞り駆動命令を受けたレンズＣＰＵ２０１により制御されて、絞りユニット３４を指定された絞り値に相当する開口状態に動作させる。
【００３０】
２１１は交換レンズ２００に搭載され、プリント基板３１に接続された角速度センサである。角速度センサ２１１は、カメラシステムの角度振れである縦（ピッチ方向）振れと横（ヨー方向）振れのそれぞれの角速度を示す角速度信号をレンズＣＰＵ２０１に出力する。
【００３１】
レンズＣＰＵ２０１は、角速度センサ２１１からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。また、レンズＣＰＵ２０１は、角度振れ量と平行振れ量の合成変位量に基づいて防振装置駆動部２０６を制御して防振装置８の移動群７００をシフト駆動させ、角度振れ補正および平行振れ補正を行う。更に、レンズＣＰＵ２０１は、ピントずれ量に基づいてＡＦ駆動部２０９を制御してフォーカス鏡筒１０を光軸方向に駆動させ、焦点調節を行う。
【００３２】
検出手段からレンズＣＰＵ２０１へのズーム、フォーカス、防振動作などの検出信号や、レンズＣＰＵ２０１から各アクチュエータへの制御信号の通電はＦＰＣで行う。
【００３３】
光軸方向に関して今後、図１の左側（前側）を物体側、右側（後ろ側）をセンサー側と記載する。
【００３４】
図３は、１群ユニットを示した図である。図４は１群ユニットを図３の矢印Ｃ側から見た図である。図５は図３のＢ−Ｂ断面図である。これらを使用して、１群ユニットの構成について説明する。７０は１群の開口を決めるマスクである。開口部７０ｄにより、１群から出る光束を制限している。また、マスク７０により、１群レンズ１の裏側を覆うことで、前側から見た美観保つ役割も果たしている。２ａは１群鏡筒２の雄ネジ部である。１７ｅは１群筒１７の雌ネジ部である。１群鏡筒２は１群筒１７に、雄ネジ部２ａと雌ネジ部１７ｅを螺合させて固定される。
【００３５】
次にマスク７０の１群鏡筒２への組込について説明する。マスク７０の、７０ａはバヨネット爪部、７０ｂは圧入突起部、７０ｃは係合爪、７０ｄは逃げ部である。１群鏡筒２の２ｂは勘合部、２ｃは係合部、２ｄは切欠部である。マスク７０は逃げ部７０ｄと１群鏡筒２の勘合部２ｂが合わさる位相で、１群鏡筒２にセンサー側から組み込まれる。その後図３の方向から見た場合に、マスク７０を反時計周りに回転させることで、マスク７０は１群鏡筒２にバヨネット結合される。具体的には、３ヶ所のバヨネット爪部７０ａは同じく３ヶ所の勘合部２ｂに勘合される。
【００３６】
この際バヨネット爪７０ａに設けられた、圧入突起部７０ｂによって、勘合部２ｂに圧入固定され、マスク７０は光軸方向にガタなく固定される。回転方向の規制については、バヨネット結合される際に係合爪７０ｃが、係合部２ｃを乗り上げて、逆回転を防止するように付勢しつついわゆるパッチン止め固定される。これにより、マスク７０は１群鏡筒２にガタなく保持することができる。
【００３７】
１群鏡筒２には樹脂成型によって作られており、勘合部２ｂのようなバヨネット爪を挟持させる形状を型で作る必要がある。例えば、１群鏡筒２の物体側から穴を空けて、勘合部を形成する方法もあるが、１群鏡筒２の物体側は外観面となり、外観を損なう為不要な穴を空けることはできない。２ｅは１群鏡筒２のパーティングラインを示しており、矢印の方向に型のスライドが成されている。雄ネジ部２ａはこのスライドによって形成されている。
【００３８】
同時に勘合部２ｂも切欠き部２ｂのような貫通穴を介して形成される。これにより、新たにスライドを追加することなく、また外観面に不要な穴を空けることなく、勘合部２ｂを形成することができる。
【００３９】
以上、述べてきたようにマスク７０を１群鏡筒２にガタなく固定することができ、接着剤やビス等の追加部品が不要となり、その結果組立が簡単で低コストなレンズ鏡筒を提供することができる。
【００４０】
マスク７０のバヨネット爪７０ａや係合爪７０ｃといった形状を光軸方向の長さに関して、雄ネジ部２ａ内に収まっており、小型に構成することができている。１群鏡筒２は１群筒１７にネジ込ながら固定することになり、マスク７０ａに一部でもビス止め等の出っ張りがある場合は、ネジ込時の逃げの為全位相逃げなくてはならない。そうしなければ、マスク７０は２群鏡筒４と干渉してしまう。
【００４１】
本実施例では、マスク７０は出っ張りなく構成されており、ネジ込固定の場合にも、干渉にならず装置の小型化につながっている。
【００４２】
以上、本発明の実施形態について説明したが、本発明はこれに限定されず、その要旨の範囲内で種々の変形及び変更が可能である。
【００４３】
本発明は、レンズ鏡筒などの光学機器に適用することができる。
【符号の説明】
【００４４】
１  １群レンズ、２  １群鏡筒、１４  案内筒、１６  カム環、１７  １群筒、
２３  固定鏡筒、３５  マニュアルズームリング、７０  マスク
【図１】
2016009140.tif 000003
【図２】
2016009140.tif 000004
【図３】
2016009140.tif 000005
【図４】
2016009140.tif 000006
【図５】
2016009140.tif 000007